(57)【要約】本発明はビデオデータ記録方法、その記録装置及び情報保存媒体に関する。本発明によって、ビデオデータを情報保存媒体に記録する方法において、（ａ）カムコーダから受信されたデジタルビデオフォーマットのビデオデータを複数個のクリップファイルに記録する段階と、（ｂ）前記クリップファイルをナビゲートするためのナビゲーションデータをクリップナビゲーションファイルに記録する段階と、（ｃ）少なくとも一つの前記クリップファイル及び対応するクリップナビゲーションファイルの少なくとも一部を示すプログラムナビゲーションファイルを記録する段階と、（ｄ）前記プログラムナビゲーションファイルのうち少なくとも一つを示すプログラム情報をマネジャーファイルに記録する段階とを含むことを特徴とする記録方法。これにより、カムコーダから提供されたＤＶフォーマットのビデオデータをランダムアクセス可能な情報保存媒体に記録しておき、所望の時に再生できる。
2005504406.tif 000002
【特許請求の範囲】
【請求項１】
ビデオデータを情報保存媒体に記録する方法において、
（ａ）カムコーダから受信されたデジタルビデオフォーマットのビデオデータを複数個のクリップファイルに記録する段階と、
（ｂ）前記クリップファイルをナビゲートするためのナビゲーションデータをクリップナビゲーションファイルに記録する段階と、
（ｃ）少なくとも一つの前記クリップファイル及び対応するクリップナビゲーションファイルの少なくとも一部を示すプログラムナビゲーションファイルを記録する段階と、
（ｄ）前記プログラムナビゲーションファイルのうち少なくとも一つを示すプログラム情報をマネジャーファイルに記録する段階とを含むことを特徴とする記録方法。
【請求項２】
前記（ａ）段階は、
（ａ１）ＩＥＥＥ  １３９４パケットでパッケージングされたＤＩＦシーケンスを受信する段階と、
（ａ２）前記ＩＥＥＥ  １３９４パケットをはぎ取って得られたＤＩＦシーケンスを前記複数個のクリップファイルに記録する段階とであることを特徴とする請求項１に記載の記録方法。
【請求項３】
前記（ａ）段階は、
ＤＶ２５またはＤＶ５０フォーマットのうちいずれか一つであるＤＩＦシーケンスを記録する段階であることを特徴とする請求項１に記載の記録方法。
【請求項４】
前記（ａ）段階はリアルタイム記録する段階であることを特徴とする請求項１に記載の記録方法。
【請求項５】
前記（ｂ）段階は、
該当クリップファイルの再生時間情報を該当クリップファイルが記録されたアドレス情報にマッピングするマッピング情報を前記クリップナビゲーションファイルに記録する段階を含むことを特徴とする請求項１に記載の記録方法。
【請求項６】
前記（ｃ）段階は、
該当クリップファイルの識別子、クリップファイルの再生開始時間及び再生終了時間を前記プログラムナビゲーションファイルに記録する段階を含むことを特徴とする請求項１に記載の記録方法。
【請求項７】
ビデオデータを情報保存媒体に記録する方法において、
（ａ）デジタルビデオフォーマットのビデオデータを複数個のクリップファイルにリアルタイム記録する段階と、
（ｂ）前記クリップファイルをナビゲートするためのナビゲーションデータをクリップナビゲーションファイルに記録する段階と、
（ｃ）少なくとも一つの前記クリップファイル及び対応するクリップナビゲーションファイルの少なくとも一部を示すプログラムナビゲーションファイルを記録する段階と、
（ｄ）前記プログラムナビゲーションファイルのうち少なくとも一つを示すプログラム情報をマネジャーファイルに記録する段階とを含むことを特徴とする記録方法。
【請求項８】
前記（ｂ）段階は、
該当クリップファイルの再生時間情報を該当クリップファイルが記録されたアドレス情報にマッピングするマッピング情報を前記クリップナビゲーションファイルに記録する段階を含むことを特徴とする請求項７に記載の記録方法。
【請求項９】
前記（ｂ）段階は、
前記（ａ）段階で受信されたビデオデータの放送フォーマットを前記クリップナビゲーションファイルに記録する段階を含むことを特徴とする請求項７に記載の記録方法。
【請求項１０】
前記放送フォーマットはＮＴＳＣまたはＰＡＬ方式であることを特徴とする請求項９に記載の記録方法。
【請求項１１】
カムコーダから受信されたデジタルビデオフォーマットのビデオデータを情報保存媒体に記録する装置において、
前記ビデオデータを入力されるビデオインターフェースと、
前記情報保存媒体にデータを記録する記録部と、
前記記録部を制御して、前記ビデオインターフェースを通じ入力されたビデオデータを少なくとも一つのクリップファイルに記録し、生成されたクリップファイルをナビゲートするためのナビゲーションデータをクリップナビゲーションファイルに記録し、少なくとも一つの前記クリップファイル及び対応するクリップナビゲーションファイルの少なくとも一部を示すプログラムナビゲーションファイルを記録し、前記プログラムナビゲーションファイルのうち少なくとも一つを示すプログラム情報をマネジャーファイルに記録する制御部とを含むことを特徴とする記録装置。
【請求項１２】
前記ビデオインターフェースは、
ＤＩＦシーケンスがパッケージングされたＩＥＥＥ  １３９４パケットを受信するＩＥＥＥ  １３９４ポートと、
前記ＩＥＥＥ  １３９４パケットをはぎ取って得られたＤＩＦシーケンスを保存するためのバッファとを含むことを特徴とする請求項１１に記載の記録装置。
【請求項１３】
前記ビデオインターフェースは、
ＤＶ２５またはＤＶ５０フォーマットのうちいずれか一つのＤＩＦシーケンスを受信することを特徴とする請求項１１に記載の記録装置。
【請求項１４】
前記制御部は、
前記記録部を制御して前記ビデオインターフェースから受信されたビデオデータをリアルタイム記録することを特徴とする請求項１１に記載の記録装置。
【請求項１５】
前記制御部は、
該当クリップファイルの再生時間情報を該当クリップファイルが記録されたアドレス情報にマッピングするマッピング情報を前記クリップナビゲーションファイルに記録することを特徴とする請求項１１に記載の記録装置。
【請求項１６】
前記制御部は、
該当クリップファイルの識別子、クリップファイルの再生開始時間及び再生終了時間を前記プログラムナビゲーションファイルに記録することを特徴とする請求項１１に記載の記録装置。
【請求項１７】
カムコーダから受信されたデジタルビデオフォーマットのビデオデータが記録された複数個のクリップファイルと、
前記クリップファイルをナビゲートするためのナビゲーションデータが記録されたクリップナビゲーションファイルと、
少なくとも一つの前記クリップファイル及び対応するクリップナビゲーションファイルの少なくとも一部に対するナビゲーションデータが記録されたプログラムナビゲーションファイルと、
前記プログラムナビゲーションファイルのうち少なくとも一つにプログラム情報が記録されたマネジャーファイルとを含むことを特徴とする情報保存媒体。
【請求項１８】
前記クリップファイルにはＩＥＥＥ  １３９４パケットをはぎ取って得られたＤＩＦシーケンスが記録されることを特徴とする請求項１７に記載の情報保存媒体。
【請求項１９】
前記クリップファイルにはＤＶ２５またはＤＶ５０フォーマットのうちいずれか一つのＤＩＦシーケンスが記録されることを特徴とする請求項１７に記載の情報保存媒体。
【請求項２０】
前記クリップナビゲーションファイルには、該当クリップファイルの再生時間情報を該当クリップファイルが記録されたアドレス情報にマッピングするマッピング情報が記録されることを特徴とする請求項１７に記載の情報保存媒体。
【請求項２１】
前記プログラムナビゲーションファイルには、該当クリップファイルの識別子、クリップファイルの再生開始時間及び再生終了時間が記録されることを特徴とする請求項１７に記載の情報保存媒体。
【請求項２２】
前記クリップナビゲーションファイルには、前記クリップファイルで記録されたビデオデータの放送フォーマットが記録されることを特徴とする請求項１７に記載の情報保存媒体。
【請求項２３】
前記放送フォーマットはＮＴＳＣまたはＰＡＬ方式であることを特徴とする請求項２２に記載の情報保存媒体。
【発明の詳細な説明】
【技術分野】
【０００１】
本発明はビデオデータの記録方法に係り、より詳細にはカムコーダから提供されるビデオデータを受信して情報保存媒体に記録する方法、その記録装置及び情報保存媒体に関する。
【背景技術】
【０００２】
最近カムコーダが広く普及されて使われているが、カムコーダはビデオデータをＤＶフォーマット（デジタルビデオフォーマット）でビデオテープに記録する。しかし、ビデオテープに記録されたビデオデータはシーケンシャルアクセスだけ可能であり、ランダムアクセスが不可能である。さらに、ビデオテープに記録されたビデオデータは自由な編集が容易でない。
【発明の開示】
【発明が解決しようとする課題】
【０００３】
したがって、本発明の目的は、カムコーダから提供されたＤＶフォーマットのビデオデータをランダムアクセス可能な情報保存媒体に記録する方法、その記録装置及び情報保存媒体を提供することである。
【０００４】
本発明の他の目的は、カムコーダから提供されたＤＶフォーマットのビデオデータを編集可能な情報保存媒体に記録する方法、その記録装置及び情報保存媒体を提供することである。
【課題を解決するための手段】
【０００５】
前記目的は、本発明によって、ビデオデータを情報保存媒体に記録する方法において、（ａ）カムコーダから受信されたデジタルビデオフォーマットのビデオデータを複数個のクリップファイルに記録する段階と、（ｂ）前記クリップファイルをナビゲートするためのナビゲーションデータをクリップナビゲーションファイルに記録する段階と、（ｃ）少なくとも一つの前記クリップファイル及び対応するクリップナビゲーションファイルの少なくとも一部を示すプログラムナビゲーションファイルを記録する段階と、（ｄ）前記プログラムナビゲーションファイルのうち少なくとも一つを示すプログラム情報をマネジャーファイルに記録する段階とを含むことを特徴とする記録方法により達成される。
【０００６】
（ａ）段階は、（ａ１）ＩＥＥＥ  １３９４パケットでパッケージングされたＤＩＦシーケンスを受信する段階、及び（ａ２）前記ＩＥＥＥ  １３９４パケットをはぎ取って得られたＤＩＦシーケンスを前記複数個のクリップファイルに記録する段階であるか、ＤＶ２５またはＤＶ５０フォーマットのうちいずれか一つであるＤＩＦシーケンスを記録する段階であることが望ましく、また、リアルタイム記録する段階であることが望ましい。
【０００７】
前記（ｂ）段階は、該当クリップファイルの再生時間情報を該当クリップファイルが記録されたアドレス情報にマッピングするマッピング情報を前記クリップナビゲーションファイルに記録する段階を含むことが望ましい。
【０００８】
前記（ｃ）段階は、該当クリップファイルの識別子、クリップファイルの再生開始時間及び再生終了時間を前記プログラムナビゲーションファイルに記録する段階を含むことが望ましい。
【０００９】
一方、本発明の他の分野によれば、前記目的は、ビデオデータを情報保存媒体に記録する方法において、（ａ）デジタルビデオフォーマットのビデオデータを複数個のクリップファイルにリアルタイム記録する段階と、（ｂ）前記クリップファイルをナビゲートするためのナビゲーションデータをクリップナビゲーションファイルに記録する段階と、（ｃ）少なくとも一つの前記クリップファイル及び対応するクリップナビゲーションファイルの少なくとも一部を示すプログラムナビゲーションファイルを記録する段階と、（ｄ）前記プログラムナビゲーションファイルのうち少なくとも一つを示すプログラム情報をマネジャーファイルに記録する段階と、を含むことを特徴とする記録方法によっても達成される。
【００１０】
前記（ｂ）段階は、該当クリップファイルの再生時間情報を該当クリップファイルが記録されたアドレス情報にマッピングするマッピング情報を前記クリップナビゲーションファイルに記録する段階を含むか、前記（ａ）段階で受信されたビデオデータの放送フォーマットを前記クリップナビゲーションファイルに記録する段階を含むことが望ましく、前記放送フォーマットはＮＴＳＣまたはＰＡＬ方式であることがさらに望ましい。
【００１１】
また、前記目的は、カムコーダから受信されたデジタルビデオフォーマットのビデオデータを情報保存媒体に記録する装置において、前記ビデオデータを入力されるビデオインターフェースと、前記情報保存媒体にデータを記録する記録部と、前記記録部を制御して、前記ビデオインターフェースを通じ入力されたビデオデータを少なくとも一つのクリップファイルに記録し、生成されたクリップファイルをナビゲートするためのナビゲーションデータをクリップナビゲーションファイルに記録し、少なくとも一つの前記クリップファイル及び対応するクリップナビゲーションファイルの少なくとも一部を示すプログラムナビゲーションファイルを記録し、前記プログラムナビゲーションファイルのうち少なくとも一つを示すプログラム情報をマネジャーファイルに記録する制御部とを含むことを特徴とする記録装置によっても達成される。
【００１２】
前記ビデオインターフェースは、ＤＩＦシーケンスがパッケージングされたＩＥＥＥ  １３９４パケットを受信するＩＥＥＥ  １３９４ポート及び  ＩＥＥＥ  １３９４パケットをはぎ取って得られたＤＩＦシーケンスを保存するためのバッファを含むことが望ましい。
【００１３】
また、前記ビデオインターフェースは、ＤＶ２５またはＤＶ５０フォーマットのうちいずれか一つのＤＩＦシーケンスを受信することが望ましい。
【００１４】
前記制御部は、前記記録部を制御して前記ビデオインターフェースから受信されたビデオデータをリアルタイム記録し、該当クリップファイルの再生時間情報を該当クリップファイルが記録されたアドレス情報にマッピングするマッピング情報を前記クリップナビゲーションファイルに記録することが効果的である。
【００１５】
前記制御部は、該当クリップファイルの識別子、クリップファイルの再生開始時間及び再生終了時間を前記プログラムナビゲーションファイルに記録することが望ましい。
【００１６】
一方、本発明のまた他の分野によれば、前記目的は、カムコーダから受信されたデジタルビデオフォーマットのビデオデータが記録された複数個のクリップファイルと、前記クリップファイルをナビゲートするためのナビゲーションデータが記録されたクリップナビゲーションファイルと、少なくとも一つの前記クリップファイル及び対応するクリップナビゲーションファイルの少なくとも一部に対するナビゲーションデータが記録されたプログラムナビゲーションファイルと、前記プログラムナビゲーションファイルのうち少なくとも一つにプログラム情報が記録されたマネジャーファイルとを含むことを特徴とする情報保存媒体によっても達成される。
【００１７】
前記クリップファイルにはＩＥＥＥ  １３９４パケットをはぎ取って得られたＤＩＦシーケンスが記録され、ＤＶ２５またはＤＶ５０フォーマットのうちいずれか一つのＤＩＦシーケンスが記録されることが望ましい。
【００１８】
また、前記クリップナビゲーションファイルには、該当クリップファイルの再生時間情報を該当クリップファイルが記録されたアドレス情報にマッピングするマッピング情報が記録されることが望ましい。より具体的に、前記プログラムナビゲーションファイルには、該当クリップファイルの識別子、クリップファイルの再生開始時間及び再生終了時間が記録されることがさらに望ましい。さらに、前記クリップナビゲーションファイルには、前記クリップファイルで記録されたビデオデータの放送フォーマットが記録されることが望ましく、前記放送フォーマットはＮＴＳＣまたはＰＡＬ方式であることがさらに望ましい。
【発明を実施するための最良の形態】
【００１９】
以下、添付された図面を参照して本発明の望ましい実施例を詳細に説明する。
【００２０】
図１は、本発明の望ましい実施例による記録装置のブロック図である。図１を参照すれば、記録装置は制御部１、ビデオインターフェース２、記録部３を含む。ビデオインターフェース２はカムコーダ（図示せず）からビデオテープに記録されたＤＶフォーマットのビデオデータを入力される。実際に、ビデオインターフェース２はカムコーダと連結されたＩＥＥＥ  １３９４ポート及びバッファで具現される。ＤＶフォーマットのビデオデータはＩＥＥＥ  １３９４パケットでパッケージングされたＤＩＦ（デジタルインターフェースフォーマット）シーケンスであって、ＩＥＥＥ  １３９４ポートに入力されてＩＥＥＥパケットがはぎ取られたＤＩＦシーケンス形態にバッファに保存される。
【００２１】
制御部１は、ビデオインターフェース２に入力されるＤＩＦシーケンスからヘッダ情報を読み出す。ヘッダ情報は入力されるＤＩＦシーケンスに関する情報であって、採用されたビデオフォーマット、放送フォーマット（例えば、ＮＴＳＣ方式か、またはＰＡＬ方式か）を含む。さらに、採用された圧縮方式、解像度、デコーディングに必要な情報及びその他の情報を含むことができる。制御部１は、ヘッダ情報のうち少なくとも一部を抽出して本実施例による情報保存媒体である光ディスク１００に記録部３を通じて記録しておく。また、制御部１は、ビデオデータの探索または再生に必要なナビゲーションデータを生成して記録部３を通じて光ディスク１００に記録する。
【００２２】
図２は、本発明によってビデオデータが記録された光ディスク１００のファイル構造の一例を説明するための参考図である。図２を参照すれば、ルートディレクトリにはリアルタイムレコードのためのディレクトリが備えられている。リアルタイムレコードディレクトリには、光ディスク１００に記録されたビデオデータを探索／再生するために必要なナビゲーションデータが記録されたファイルＭａｎａｇｅｒ．ｉｆｏ、Ｐｒｏｇｒａｍ＃１．ｉｆｏ、…、Ｐｒｏｇｒａｍ＃Ｎ．ｉｆｏ、Ｃｌｉｐ＃１．ｉｆｏ、…、Ｃｌｉｐ＃Ｍ．ｉｆｏが保存されている。また、ビデオデータが記録されたファイルＣｌｉｐ＃１．ＶＯＢ、…、Ｃｌｉｐ＃Ｋ．ＶＯＢが保存されている。
【００２３】
Ｍａｎａｇｅｒ．ｉｆｏには光ディスク１００に記録されたビデオデータに関する一般的な情報が記録される。一般的な情報はプログラムの数、再生時間などの情報を含む。Ｐｒｏｇｒａｍ＃１．ｉｆｏ、…、Ｐｒｏｇｒａｍ＃Ｎ．ｉｆｏは光ディスク１００に記録されたＮ個のプログラムに対するナビゲーションデータが記録される。Ｃｌｉｐ＃１．ｉｆｏ、…、Ｃｌｉｐ＃Ｍ．ｉｆｏには各プログラムに含まれた少なくとも一つのクリップそれぞれに対するナビゲーションデータが記録される。Ｃｌｉｐ＃１．ＶＯＢ、…、Ｃｌｉｐ＃Ｋ．ＶＯＢ、Ｃｌｉｐ＃Ｋ＋１．ＶＯＢには実際ビデオデータが記録される。
【００２４】
プログラム及びクリップはそれぞれユーザーに見られるビデオデータのタイトル及びサブタイトルを示す。例えば、プログラムは映画「風と共に去りぬ」を、「風と共に去りぬ」プログラムに属する３個のクリップはそれぞれ第１部、第２部、第３部を意味する。
【００２５】
図３は、本発明によってビデオデータが記録された光ディスク１００のファイル構造の他の例を説明するための参考図である。図３を参照すれば、ルートディレクトリにはリアルタイムレコードのためのディレクトリが備えられている。リアルタイムレコードディレクトリには、光ディスク１００に記録されたビデオデータを探索／再生するために必要なナビゲーションデータが記録されたファイルＭａｎａｇｅｒ．ｉｆｏ、Ｐｒｏｇｒａｍ．ｉｆｏ、Ｃｌｉｐ．ｉｆｏが保存されている。また、ビデオデータが記録されたファイルＣｌｉｐ．ＶＯＢが保存されている。図２のそれと比較すると、図２のファイル構造はＮ個のプログラムに対してナビゲーションデータがＮ個のファイルに分離されて記録されている一方、図３のそれは一つのファイルに統合されて記録されている。Ｍ個のクリップに対するナビゲーションデータも同様であり、ビデオデータが記録されたクリップもまた同様である。
【００２６】
ビデオデータを小さなファイルに分けて記録する場合には、該当ファイルを探索するには相対的にさらに長時間がかかるが、一旦該当ファイルを捜し出せば所望のデータをすぐ読み出すことができる。一方、一つのファイルに統合して記録する場合には、該当ファイルはすぐ捜し出すことができるが、その中で所望のデータをまた捜し出して読み出すには相対的に長時間がかかる。
【００２７】
図４は、図２のファイル構造に対応するデータ構造図である。図４を参照すれば、光ディスク１００にはＮ個のプログラムＰｒｏｇｒａｍ＃１、…、ｎ、…、Ｎが記録されている。プログラムＰｒｏｇｒａｍ＃ｎはＭ個のクリップＣｌｉｐ＃１、…、ｍ、…、Ｍを持つ。例えば、「風と共に去りぬ」というプログラムは第１部、第２部、第３部で構成された３個のクリップを持つ。
【００２８】
ビデオデータは一定の単位のクリップＣｌｉｐ＃１．ＶＯＢ、…、Ｃｌｉｐ＃ｋ．ＶＯＢ、…、Ｃｌｉｐ＃Ｋ．ＶＯＢ、Ｃｌｉｐ＃Ｋ＋１．ＶＯＢに記録される。クリップＣｌｉｐ＃１．ＶＯＢ、…、Ｃｌｉｐ＃ｋ．ＶＯＢ、…、Ｃｌｉｐ＃Ｋ．ＶＯＢ、Ｃｌｉｐ＃Ｋ＋１．ＶＯＢはナビゲーションデータが記録されたＣｌｉｐ＃１．ｉｆｏ、…、Ｃｌｉｐ＃ｋ．ｉｆｏ、…、Ｃｌｉｐ＃Ｋ＋１．ｉｆｏにそれぞれ対応する。
【００２９】
Ｐｒｏｇｒａｍ＃ｎ．ｉｆｏはＰｒｏｇｒａｍ＃ｎに含まれるクリップにそれぞれ属するビデオデータを示す。Ｃｌｉｐ＃１に属するビデオデータはＣｌｉｐ＃１．ＶＯＢに記録されている。Ｃｌｉｐ＃ｍに属するビデオデータはＣｌｉｐ＃ｋ．ＶＯＢの一部に記録されている。Ｃｌｉｐ＃Ｍに属するビデオデータはＣｌｉｐ＃Ｋ．ＶＯＢ及びＣｌｉｐ＃Ｋ＋１．ＶＯＢに記録されている。例えば、第１部はＣｌｉｐ＃１．ＶＯＢに記録されており、第２部はＣｌｉｐ＃ｋ．ＶＯＢに記録されており、第３部はＣｌｉｐ＃Ｋ．ＶＯＢ及びＣｌｉｐ＃Ｋ＋１．ＶＯＢに記録されている。
【００３０】
図５は図４のＰｒｏｇｒａｍ＃ｎ．ｉｆｏに関する詳細構造図である。図５を参照すれば、Ｐｒｏｇｒａｍ＃ｎ．ｉｆｏには該当クリップの識別子ＩＤ、クリップの再生開始時間Ｓｔａｒｔ  ｔｉｍｅ及び再生終了時間Ｅｎｄ  ｔｉｍｅが記録されている。該当クリップが複数個である場合に識別子ＩＤ、クリップの再生開始時間Ｓｔａｒｔ  ｔｉｍｅ及び再生終了時間Ｅｎｄ  ｔｉｍｅは各クリップごとに備えられる。また、Ｐｒｏｇｒａｍ＃ｎ．ｉｆｏには該当プログラム＃ｎに関する情報Ｐｒｏｇｒａｍ  ｉｎｆｏｒｍａｔｉｏｎ＃ｎが記録されている。Ｐｒｏｇｒａｍ  ｉｎｆｏｒｍａｔｉｏｎ＃ｎはタイトル、再生時間Ｄｕｒａｔｉｏｎ  ｔｉｍｅ、その他の情報Ｅｔｃ１、Ｅｔｃ２を含む。
【００３１】
図６は、図４のＣｌｉｐ＃ｋ．ｉｆｏに関する詳細構造図である。図６を参照すれば、Ｃｌｉｐ＃ｋ．ｉｆｏには該当クリップの再生時間情報を該当クリップに属するビデオデータが記録されたアドレス情報にマッピングするマッピング情報Ｔｉｍｅ  ｔｏ  Ａｄｄｒｅｓｓ  Ｍａｐ及び該当クリップを構成するビットストリームに関する情報ｂｉｔｓｔｒｅａｍ  ｉｎｆｏｒｍａｔｉｏｎ＃ｋが含まれる。Ｂｉｔｓｔｒｅａｍ  ｉｎｆｏｒｍａｔｉｏｎ＃ｋにはビデオフォーマット及び放送フォーマットが含まれる。ビデオフォーマットがカムコーダから提供されたビデオデータであるＤＩＦシーケンスである場合、ＤＶ２５、ＤＶ５０などで記録される。ＤＶ２５は、Ｄｉｇｉｔａｌ  Ｖｉｄｅｏ  ２５Ｍｂｐｓフォーマットを示し、ＤＶ５０はＤｉｇｉｔａｌ  Ｖｉｄｅｏ  ５０Ｍｂｐｓフォーマットを示す。ビデオフォーマットがＤＩＦシーケンスではないＭＰＥＧトランスポートストリームであれば、ＭＰＥＧで記録される。放送フォーマットはＮＴＳＣ方式またはＰＡＬ方式で記録される。
【００３２】
ここで、該当クリップの再生時間情報を該当クリップに属するビデオデータが記録されたアドレス情報でマッピングするマッピング情報Ｔｉｍｅ  ｔｏ  Ａｄｄｒｅｓｓ  Ｍａｐは選択事項である。なぜなら、Ｔｉｍｅ  ｔｏ  Ａｄｄｒｅｓｓ  Ｍａｐがなくてもビデオフォーマット及び放送フォーマットさえ分かればそれより該当クリップを構成するビデオデータの位置を演算できるからである。
【００３３】
前記のような構成に基づいて本発明によるビデオデータ記録方法を説明すれば次の通りである。
【００３４】
図７は、ビデオデータ記録方法を説明するためのフローチャートである。図７を参照すれば、ビデオインターフェース２はビデオデータを受信する（７０１段階）。制御部１はビデオデータで構成されたクリップを生成し（７０２段階）、記録部３を制御して少なくとも一つの前記クリップを含むデータ構造を有する各プログラムを記録する（７０３段階）。換言すれば、制御部１は記録されたプログラムを探索／再生するために前記データ構造に対応するナビゲーションデータを生成し、記録部３を制御して光ディスク１００に記録する。
【００３５】
制御部１はプログラムに関する情報を知らせるナビゲーションデータを生成して記録し（７０３−１段階）、プログラムに属するクリップに対してナビゲーション、すなわち、再生、探索、及び／または編集のための情報を知らせるナビゲーションデータを生成して記録し（７０３−２段階）、各クリップに属するビデオデータに対してナビゲーション、すなわち、再生、探索、及び／または編集のための情報を知らせるナビゲーションデータを記録する（７０３−３段階）。
【００３６】
７０３−１段階は前記プログラムの数、タイトル、データの大きさを含むナビゲーションデータを生成する段階を含み、７０３−２段階はクリップＩＤ、該当クリップに属するビデオデータの開始時間及び終了時間を知らせるナビゲーションデータを生成する段階を含み、７０３−３段階はビデオフォーマット、及び放送フォーマットを知らせるナビゲーションデータ、及び前記開始時間及び終了時間に対応する記録位置を知らせるナビゲーションデータを生成する段階を含む。
【産業上の利用可能性】
【００３７】
前述したように、本発明によれば、カムコーダから提供されたＤＶフォーマットのビデオデータをランダムアクセス可能な情報保存媒体に記録しておき、所望の時に再生できる。さらに、カムコーダから提供されたＤＶフォーマットのビデオデータが編集可能なデータ構造で保存される。
【図面の簡単な説明】
【００３８】
【図１】本発明の望ましい実施例による記録装置のブロック図である。
【図２】本発明によってビデオデータが記録された光ディスク１００のファイル構造の一例を説明するための参考図である。
【図３】本発明によってビデオデータが記録された光ディスク１００のファイル構造の他の例を説明するための参考図である。
【図４】図２のファイル構造に対応するデータ構造図である。
【図５】図４のｐｒｏｇｒａｍ＃ｎ．ｉｆｏに関する詳細構造図である。
【図６】図４のＣｌｉｐ＃ｋ．ｉｆｏに関する詳細構造図である。
【図７】ビデオデータ記録方法を説明するためのフローチャートである。
【図１】
2005504406.tif 000003
【図２】
2005504406.tif 000004
【図３】
2005504406.tif 000005
【図７】
2005504406.tif 000006
【国際公開パンフレット】
2005504406.tif 000007
2005504406.tif 000008
2005504406.tif 000009
2005504406.tif 000010
2005504406.tif 000011
2005504406.tif 000012
2005504406.tif 000013
2005504406.tif 000014
2005504406.tif 000015
2005504406.tif 000016
2005504406.tif 000017
2005504406.tif 000018
2005504406.tif 000019
2005504406.tif 000020
2005504406.tif 000021
2005504406.tif 000022
2005504406.tif 000023
2005504406.tif 000024
2005504406.tif 000025
2005504406.tif 000026
2005504406.tif 000027
2005504406.tif 000028
2005504406.tif 000029
【国際調査報告】
2005504406.tif 000030